(57)【特許請求の範囲】
【請求項１】
爆発力駆動打ち込み装置に使用するくぎを保持するよう長手方向に延在する支持ストリップにおいて、前記長手方向に順次互いに離れて配列し、くぎ（５）を収容するよう前記長手方向に直交する中心軸線をそれぞれ有する中空円筒形の形状であり、可撓性の３個のウェブ（２，３）によって互いに連結した収容室（１）を有し、順次の隣接する収容室（１）間に、互いに平行でありかつ収容室（１）の中心軸線にも平行に支持ストリップの側面に沿って延びる２個の側壁（４）を配置し、前記側壁（４）の各々は、前記長手方向に延在する１対の第１長手方向端縁を有し、２個の互いに平行な第１ウェブ（２）は、前記側壁（４）の一部により形成し、１個の第２ウェブ（３）は、前記収容部を相互連結する前記第１ウェブ（２）間で前記収容部（１）の中心軸線を含む平面上に配置し、前記第１ウェブ（２）は、前記側壁（４）の前記第１長手方向端縁から内方に離れて位置して前記長手方向に延在する１対の第２長手方向端縁を有し、収容室（１）の中心軸線に平行にかつ前記長手方向に直交する方向に測った前記側壁（４）の高さ（Ｈ１）の０．３〜０．６倍の高さ（Ｈ２）を有するものとし、前記第１ウェブ（２）を、前記側壁（４）の前記１対の第１長手方向端縁間の中間領域に設けたことを特徴とする爆発力駆動打ち込み装置のための支持ストリップ。
【請求項２】
前記第１ウェブ（２）の長さ（Ｌ１）を、前記収容室（１）の中心軸線に平行に測った前記側壁（４）の高さ（Ｈ１）の０．３〜１倍とした請求項１記載の爆発力駆動打ち込み装置のための支持ストリップ。
【請求項３】
前記支持ストリップの側壁（２５）の第１長手方向端縁（２３，２４）のうち、前記支持ストリップにおけるくぎの打ち込み方向に対向する側の第１長手方向端縁（２３）に隣接する前記第１ウェブ（２２）の第２長手方向端縁の長さを、くぎの打ち込み方向とは反対側の第１長手方向端縁（２４）に隣接する前記第１ウェブ（２２）の第２長手方向端縁の長さ（Ｌ２）よりも短くした請求項１または２に記載の爆発力駆動打ち込み装置のための支持ストリップ。
【発明の詳細な説明】
【０００１】
【発明の属する技術分野】
本発明は、爆発力駆動打ち込み装置に使用するくぎを保持するよう長手方向に延在する支持ストリップにに関するものである。
【０００２】
【従来の技術】
爆発力駆動打ち込み装置用の市販されている支持ストリップENP 2-21 L 15 ハリヒテンシュタインのヒルティ社の製品カタログ「ジステームローズンゲン  フュー  デン  バウ  1993/94(Systemloesungen fuer den Bau 1993/94) 」から既知デアル。この既知の支持ストリップは、互いに順次配列した中空円筒形のくぎ収容部として作用する複数個の収容室を設ける。順次の２個の収容室間を、すべての収容室１の中心軸線を含む共通平面の領域に配置した１個のウェブと、互いに平行な２個の側壁とにより連結する。これらの側壁は支持ストリップの側面に沿って延在させ、かつ収容室１の中心軸線に平行にする。
【０００３】
収容室はくぎの収容部として使用し、このくぎは爆発力駆動打ち込み装置によって基礎中に打ち込む。支持ストリップに支持したくぎには、互いに離れた２個の案内ディスクを設け、これらの案内ディスクがくぎのシャフト部に摩擦掛合して連結し、また案内ディスクの外側輪郭が収容室の内壁によって半径方向に支持される。
【０００４】
【発明が解決しようとする課題】
支持ストリップの側壁の打ち込み方向側の長手方向端縁における収容室間に配置した収容室の中心軸線に平行に延びる窪みを設ける。側壁の収容室の中心軸線に平行に測った高さに対する窪みの深さの比は僅かであり、従って、支持ストリップは、収容室の中心軸線に平行な平面に対してばかりでなく、収容室の中心軸線に直交する平面に対しても、極めて強い曲げ強さを有するものとなる。
【０００５】
従って、本発明の目的は、収容室の中心軸線に平行な平面に対しては弾性的に曲げることができるが、収容室の中心軸線に直交する平面に対しては高い曲げ強さを有する爆発力駆動打ち込み装置のための支持ストリップを得るにある。
【０００６】
【課題を解決するための手段】
この目的を達成するため、本発明爆発力駆動打ち込み装置のための支持ストリップは、前記長手方向に順次互いに離れて配列し、くぎを収容するよう前記長手方向に直交する中心軸線をそれぞれ有する中空円筒形の形状であり、可撓性の３個のウェブによって互いに連結した収容室を有し、順次の隣接する収容室間に、互いに平行でありかつ収容室の中心軸線にも平行に支持ストリップの側面に沿って延びる２個の側壁を配置し、前記側壁の各々は、前記長手方向に延在する１対の第１長手方向端縁を有し、２個の互いに平行な第１ウェブは、前記側壁の一部により形成し、１個の第２ウェブは、前記収容部を相互連結する前記第１ウェブ間で前記収容部の中心軸線を含む平面上に配置し、前記第１ウェブは、前記側壁の前記第１長手方向端縁から内方に離れて位置して前記長手方向に延在する１対の第２長手方向端縁を有し、収容室の中心軸線に平行にかつ前記長手方向に直交する方向に測った前記側壁の高さの０．３〜０．６倍の高さを有するものとし、前記第１ウェブを、前記側壁の前記１対の第１長手方向端縁間の中間領域に設けたことを特徴とする。
【０００７】
本発明のように側壁を構成することによって、収容室間の領域に設けたウェブが、収容室の中心軸線に平行な平面において支持ストリップを弾性的に曲げることを可能にし、収容室の中心軸線に直交する平面に対しては高い曲げ強さを示すようにすることができる。収容室の中心軸線に平行に測ったウェブの高さが、側壁の収容室の中心軸線に平行に測った高さの０．３〜０．６倍であるため、収容室間の領域の側壁を弾性的に変形することができる。
【０００８】
爆発力駆動打ち込み装置に連携動作する補給チャンネルは、支持ストリップの弾性的に曲がることができる平面に基づいて、湾曲形状領域を設けることができ、この補給チャンネルの経路に支持ストリップが適合することができる。補給チャンネルに湾曲形状領域を形成することによって手持ち打ち込み装置の大きさを小さくすることができるようになり、アクセスするのが困難な位置でも、僅かな占有面積しか持たないため、投入することができる。
【０００９】
収容室の中心軸線に平行に測った高さの領域におけるウェブの配置は、支持ストリップの曲げ軸線の位置に影響を与える。製造上の理由、軸線方向の引張強度、圧縮強度並びにねじり強度の点から前記ウェブを、前記側壁の収容室の中心軸線に平行に測った高さの中心領域に設けると好適である。更に、好適には、前記ウェブの長さを前記側壁の前記収容室の中心軸線に平行に測った高さの０．３〜１倍とする。ウェブのため側壁の長手方向端縁は断続的になり、支持ストリップを曲げることによって側壁の互いに対向する長手方向端縁が互いに接触するまで弾性的に変形する。ウェブの長さ即ち、長手方向端縁の中断の長さは支持ストリップを大きく曲げることができる寸法にすることができる。これとは反対に、ウェブの長さ即ち、長手方向端縁の中断の長さは支持ストリップを曲げることができない寸法にすることもできる。
【００１０】
２個の互いに逆の方向への平面の曲げの度合いを異ならせるためには、ウェブの長さは側壁の一方の長手方向端縁を短くするとよい。
【００１１】
打ち込み方向の曲げを大きくするためには、側壁の打ち込み方向側の長手方向端縁側を短くする。
【００１２】
【発明の実施の形態】
図１及び図に示す爆発力駆動打ち込み装置のための支持ストリップには互いに順次配列した中空円筒形の収容室１を複数個設け、各収容室１はくぎ５の収容部として作用させる。互いに隣接する２個の収容室１間は３個の可撓性ウェブ２，３によって連結する。ウェブ３はすべての収容室１に共通の中心軸線の領域に配置し、互いに平行なウェブ２は互いに平行な側壁４の一部により形成する。これらの側壁４は支持ストリップの側面に沿って延び、収容室１の中心軸線に平行にする。
【００１３】
側壁４のウェブ２により構成した領域は、収容室１の中心軸線に平行に測った高さＨ２を有し、収容室１の中心軸線に平行に測った側壁４の高さＨ１の０．３倍〜０．６倍とする。
【００１４】
ウェブ２は側壁４の高さＨ１の中間領域に設け、側壁４の長さ方向に見たウェブ２の長さＬ１は側壁の高さＨ１の０．３倍〜１倍とする。ウェブ２はウェブ３よりも長い長さＬ１にする。
【００１５】
収容室１にはくぎは配置し、このくぎはヘッド６と、刻み目を付けたシャフト部７と、尖端部８とにより構成する。互いに離して設けた案内ディスク９，１０によりシャフト部７に摩擦掛合により連結し、これらのディスクの外側輪郭を半径方向に容室の内壁に支持する。図示しない止め面例えば、突出部により収容室１内における案内ディスク９，１０の軸線方向の支持を行うようにすることもできる。第１案内ディスク９は、シャフト部７とヘッド６との間の移行部に設ける。第２案内ディスク１０は尖端部８に隣接するシャフト部７の領域に設ける。
【００１６】
図３は、順次配列した複数個の中空円筒形収容室２１を設けた爆発力駆動打ち込み装置の支持ストリップの他の実施例を示し、収容室２１には図示しないくぎを収容するのに使用する。互いに隣接する２個の収容室２１間は３個のウェブ２２により互いに連結する。図示しない１個のウェブ２２は収容室２１の共通中心軸線の領域に配置し、図示された互いに平行なウェブ２２を互いに平行な側壁２５の一部とする。これらの側壁２５は支持ストリップの側面に沿って収容室２１の長手方向軸線に平行に延び、２個の長手方向端縁２３，２４を有する。第１長手方向端縁２３は支持ストリップの打ち込み方向領域に設ける。第２長手方向端縁２４は第１長手方向端縁２３とは反対側に設ける。
【００１７】
ウェブ２２は側壁２５の高さＨ３の中間領域に設け、側壁２５の長さ方向に平行に延びるウェブ２２の長さＬ２は側壁２５の打ち込み方向側の第１長手方向端縁２３側を短くする。ウェブの長さＬ２は側壁２５の高さＨ３の０．３〜１倍とする。
【図面の簡単な説明】
【図１】  本発明による支持ストリップの一部断面とする側面図である。
【図２】  図１の支持ストリップの平面図である。
【図３】  本発明による支持ストリップの他の実施例の部分側面図である。
【符号の説明】
1, 21     収容室
2, 3, 22  可撓性ウェブ
4, 25     側壁
５        くぎ
６        ヘッド
７        シャフト部
８        尖端部
9, 10     案内ディスク
23, 24    長手方向端縁
【図１】
0003907769.tif 000002
【図２】
0003907769.tif 000003
【図３】
0003907769.tif 000004